(57)【要約】【課題】筒状の胴部の上端から連設された蓋部の折曲片を胴部の内側に差し込んで蓋部を閉じる包装箱において、閉状態の蓋部を開ける操作や閉じる操作を容易に行なうことができ、さらには、包装箱を開状態とするための部材が外部へ突出せずに包装箱の取扱いの支障となることがなく、包装箱を開状態とするための部材が内部へ突出せずに包装箱の収納空間が制約されることがない包装箱を提供する。【解決手段】胴部１０の正面部３０においては、回動片外側部３２が正面部本体３４に対して回動し、回動片外側部３２から折れ線を介して回動片内側部８２が連設され、回動片内側部の基端から先端までの長さは、回動片外側部の基端から先端までの長さよりも長く形成され、折曲片１３４を延長部８０の内側に差し込んで蓋部１３０を閉じた状態において、回動片内側部の先端が、折曲片１３４の下端よりも下側に突出する。【選択図】図４
2017109790.tif 000002
【特許請求の範囲】
【請求項１】
シート状のブランクにより形成された包装箱であって、
複数の側面部を有し、複数の側面部のうちの１つの側面部である正面部（３０）と、正面部と相対する側面部である背面部（５０）とを有する胴部で、正面部の上辺から一対の切目線（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、
回動片外側部の上辺から第２折れ線（Ｃ２、Ｃ３）を介して連設され、回動片外側部に対して折り返した状態で正面部の内側に設けられた回動片内側部で、回動片内側部の基端である第２折れ線から回動片内側部の先端までの長さである第１長さ（Ｎ１）が回動片外側部の第２折れ線から第１折れ線までの長さである第２長さ（Ｎ２）よりも長く形成された回動片内側部（８２）と、
背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、
を有し、
折曲片を回動片内側部の内側に差し込んで蓋部を閉じた状態において、回動片内側部の先端が、折曲片において回動片内側部が対向する領域の下端よりも下側に突出し、
蓋部を閉じた状態で、回動片外側部を第１折れ線を介して正面部本体に対して回動させることにより、回動片内側部が折曲片を持ち上げることを特徴とする包装箱。
【請求項２】
シート状のブランクにより形成された包装箱であって、
複数の側面部を有し、複数の側面部のうちの１つの側面部である正面部（３０）と、正面部と相対する側面部である背面部（５０）とを有する胴部で、正面部の上辺から一対の切目線（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、
正面部の上辺から第２折れ線（Ｃ２、Ｃ３）を介して連設され、正面部に対して折り返した状態で正面部の内側に設けられた延長部で、該一対の切目線における各切目線の上端から連設された第２切目線（Ｌ１、Ｌ２）が設けられ、一対の該第２切目線間の領域である回動片内側部（８２）の基端である第２折れ線から回動片内側部の先端までの長さである第１長さ（Ｎ１）が回動片外側部の第２折れ線から第１折れ線までの長さである第２長さ（Ｎ２）よりも長く形成された延長部（８０）と、
背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、
を有し、
折曲片を回動片内側部の内側に差し込んで蓋部を閉じた状態において、回動片内側部の先端が、折曲片において回動片内側部が対向する領域の下端よりも下側に突出し、
蓋部を閉じた状態で、回動片外側部を正面部本体に対して回動させることにより、回動片内側部が折曲片を持ち上げることを特徴とする包装箱。
【請求項３】
シート状のブランクにより形成された包装箱であって、
複数の側面部を有し、複数の側面部のうちの１つの側面部である正面部（３０）と、正面部と相対する側面部である背面部（５０）とを有する胴部で、正面部の上辺から一対の切目線（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、
回動片外側部の上辺から第２折れ線（Ｃ２）を介して連設され、第２折れ線に沿って帯状に形成された縁板部（７５ａ）と、
縁板部の第２折れ線側とは反対側の辺部から第３折れ線（Ｃ６）を介して連設され、縁板部を介して回動片外側部に対して折り返した状態で正面部の内側に設けられた回動片内側部で、回動片内側部の基端である第３折れ線から回動片内側部の先端までの長さである第１長さ（Ｎ１）が回動片外側部の第２折れ線から第１折れ線までの長さである第２長さ（Ｎ２）よりも長く形成された回動片内側部（８２）と、
背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、
を有し、
折曲片を回動片内側部の内側に差し込んで蓋部を閉じた状態において、回動片内側部の先端が、折曲片において回動片内側部が対向する領域の下端よりも下側に突出し、
蓋部を閉じた状態で、回動片外側部を第１折れ線を介して正面部本体に対して回動させることにより、回動片内側部が折曲片を持ち上げることを特徴とする包装箱。
【請求項４】
シート状のブランクにより形成された包装箱であって、
複数の側面部を有し、複数の側面部のうちの１つの側面部である正面部（３０）と、正面部と相対する側面部である背面部（５０）とを有する胴部で、正面部の上辺から一対の切目線（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、
正面部の上辺から第２折れ線（Ｃ２）を介して連設され、第２折れ線に沿って帯状に形成された縁板部で、該一対の切目線から連設された切目線（Ｋ４、Ｋ５）が形成された縁板部（７５）と、
縁板部の第２折れ線側とは反対側の辺部から第３折れ線（Ｃ６）を介して連設され、縁板部を介して正面部に対して折り返した状態で正面部の内側に設けられた延長部で、縁板部の一対の切目線から連設された第２切目線（Ｌ１、Ｌ２）が設けられ、一対の該第２切目線間の領域である回動片内側部（８２）の基端である第３折れ線から回動片内側部の先端までの長さである第１長さ（Ｎ１）が回動片外側部の第２折れ線から第１折れ線までの長さである第２長さ（Ｎ２）よりも長く形成された延長部（８０）と、
背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、
を有し、
折曲片を回動片内側部の内側に差し込んで蓋部を閉じた状態において、回動片内側部の先端が、折曲片において回動片内側部が対向する領域の下端よりも下側に突出し、
蓋部を閉じた状態で、回動片外側部を正面部本体に対して回動させることにより、回動片内側部が折曲片を持ち上げることを特徴とする包装箱。
【請求項５】
延長部における回動片内側部以外の領域である延長部本体（８４）の正面部とは反対側の辺部から折れ線（Ｃ４、Ｃ５）を介して連設された保持部で、被収納物を保持するための穴部又は切欠部を有する保持部（９０）が設けられ、
回動片内側部と保持部の境界位置には、一対の第２切目線から連設された第３切目線（Ｌ３）が形成されていることを特徴とする請求項２又は４に記載の包装箱。
【請求項６】
保持部と延長部とを１つの平板状に展開した状態では、第３切目線が延長部と保持部間の折れ線に対して正面部側にずれて形成されていることを特徴とする請求項５に記載の包装箱。
【請求項７】
延長部には、第２切目線の先端間に第３切目線（Ｌ３）が設けられ、第２切目線と第３切目線とにより、延長部が、回動片内側部と回動片内側部以外の領域である延長部本体（８４）とに区画されていることを特徴とする請求項２又は４に記載の包装箱。
【請求項８】
第３切目線が切断予定線であることを特徴とする請求項５又は６又は７に記載の包装箱。
【請求項９】
第１長さから第２長さを減じた長さは、第２長さよりも短いことを特徴とする請求項１又は２又は３又は４又は５又は６又は７又は８に記載の包装箱。
【請求項１０】
胴部を構成する複数の側面部が順次連設されていることを特徴とする請求項１又は２又は３又は４又は５又は６又は７又は８又は９に記載の包装箱。
【請求項１１】
底面部が少なくとも正面側の辺部と背面側の辺部とを有する１つの部材により形成され、胴部を構成する側面部は底面部の各辺部から連設され、正面部は底面部の正面側の辺部から連設され、背面部は底面部の背面側の辺部から連設されていることを特徴とする請求項１又は２又は３又は４又は５又は６又は７又は８又は９に記載の包装箱。
【請求項１２】
第２切目線が切断予定線であり、回動片外側部を正面部本体に対して回動させることにより、第２切目線が破断することを特徴とする請求項１又は２又は３又は４又は５又は６又は７又は８又は９又は１０又は１１に記載の包装箱。
【請求項１３】
正面部の一対の切目線における各切目線が、一方の端部から他方の端部まで連続した切込みにより形成されていることを特徴とする請求項１又は２又は３又は４又は５又は６又は７又は８又は９又は１０又は１１又は１２に記載の包装箱。
【発明の詳細な説明】
【技術分野】
【０００１】
本発明は、包装箱に関するものであり、特に、筒状の胴部の上端から連設された蓋部の折曲片を胴部の内側に差し込むことにより蓋部を閉じる包装箱に関するものである。
【背景技術】
【０００２】
従来より、図１２、図１３に示すように、正面部３１０と、右側面部３２０と、背面部３３０と、左側面部３４０とを有する四角筒状の胴部３５０と、背面部３３０の上辺から連設された蓋板部３６０と、蓋板部３６０の先端から折れ線３７０を介して連設された折曲片３８０とを有する蓋部３９０と、フラップ部４００、４１０とを有する包装箱３００が存在し、この包装箱３００は、閉蓋時においては、折れ線３７０を介して蓋板部３６０に対して内側に折り曲げられた折曲片３８０を胴部３５０の内側の正面部３１０に沿った位置に差し込んで閉蓋状態を保持させるようにしている。
【０００３】
また、下記特許文献１の図１〜図６に示されているように、前面板１と、側面板２と、側面板３と、背面板４とを備えた四角筒状の胴部５と、前面板１の上端縁から連設された蓋板９と、蓋板９の先端縁から連設され、閉蓋状態では胴部５の内側の前面板１に沿った位置に差し込まれるタック板１０と、背面板４の上端縁から折りライン１１ａを介して連設された延長板１２ａと、延長板１２ａの先端縁から折りライン１１ｂを介して連設された延長板１２ｂと、延長板１２ｂの先端縁から折りライン１１ｃを介して連設された延長板１２ｃと、延長板１２ｃの先端縁から折りライン１１ｄを介して連設された延長板１２ｄとを有するカートンが存在し、閉蓋状態においては、延長板１２ａが折りライン１１ａを介して胴部５の内側に折り返され、延長板１２ｂが折りライン１１ｂを介して胴部５の内方へ屈曲され、延長板１２ｃが折りライン１１ｃを介して延長板１２ｂの上に重なる方向へ屈曲されるとともに、胴部５の内側に差し込まれたタック板１０の先端縁よりも下方の位置に配設され、延長板１２ｄが、折りライン１１ｄを介して折り立てられて、タック板１０と延長板１２ａの間から外部に延出しており、蓋を開ける際には、延長板１２ｄの外部に延出した部分を引き上げることで、延長板１２ｂによりタック板１０が押し上げられ、蓋板９が内側から押し開かれるようになっている。
【先行技術文献】
【特許文献】
【０００４】
【特許文献１】特開２０１４−４０２５７号公報
【発明の概要】
【発明が解決しようとする課題】
【０００５】
しかし、図１２、図１３に示す包装箱３００においては、胴部３５０に差し込まれた折曲片３８０が、右側面部３２０と左側面部３４０により両側から挟まれた状態であるとともに、正面部３１０とフラップ部４００、４１０に挟まれた状態であるので、閉じた状態の蓋部３９０を開けるには、蓋板部３６０とフラップ部４００、４１０の間の隙間に指を掛止して蓋板部３６０を引き上げる操作をしなければならず、蓋部３９０の開操作が容易ではなかった。
【０００６】
また、上記特許文献１のカートンにおいては、延長板１２ｄの外部に延出した部分を引き上げることで、容易に蓋板９を開放することができるが、蓋板９を閉じる際には、複数の延長板１２ａ〜１２ｄを上記のように折り畳み、その状態を維持したまま、タック板１０を胴部５の内側に差し込んで蓋板９を閉じなければならないので、蓋板９を閉じる度に手間が掛かり面倒であった。
【０００７】
また、上記特許文献１の図２（ｂ）に示されているように、延長板１２ｄの外部に延出した部分が折り曲げられているとしても、物品を収納したカートンを搬送する等の取り扱いの際、延長板１２ｄの外部に延出した部分（つまり、カートンを開状態とするための部材の一部）が外部に突出して邪魔になり、何かに引っ掛かって、蓋板９が開いたり、カートンが損傷してしまう可能性があり、特に、延長板１２ｄの外部に延出した部分を蓋板９側に折り倒さない場合には、該外部に延出した部分が邪魔となる。また、延長板１２ｂ及び延長板１２ｃ（つまり、カートンを開状態とするための部材の一部）が背面板４から胴部５の内側に向かって突出しているため、延長板１２ｂ及び延長板１２ｃにより、胴部５の内側の収納空間が制約される等の問題があった。
【０００８】
そこで、本発明は、筒状の胴部の上端から連設された蓋部の折曲片を胴部の内側に差し込むことにより蓋部を閉じる包装箱において、閉状態の蓋部を開ける操作を容易に行なうことができるとともに、蓋部を閉じる操作も容易に行なうことができ、さらには、包装箱を開状態とするための部材が外部に突出して邪魔となることがなく、包装箱を開状態とするための部材が内部へ突出せずに包装箱の収納空間が制約されることがない包装箱を提供することを目的とする。
【課題を解決するための手段】
【０００９】
本発明は上記問題点を解決するために創作されたものであって、第１には、シート状のブランクにより形成された包装箱であって、複数の側面部を有し、複数の側面部のうちの１つの側面部である正面部（３０）と、正面部と相対する側面部である背面部（５０）とを有する胴部で、正面部の上辺から一対の切目線（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、回動片外側部の上辺から第２折れ線（Ｃ２、Ｃ３）を介して連設され、回動片外側部に対して折り返した状態で正面部の内側に設けられた回動片内側部で、回動片内側部の基端である第２折れ線から回動片内側部の先端までの長さである第１長さ（Ｎ１）が回動片外側部の第２折れ線から第１折れ線までの長さである第２長さ（Ｎ２）よりも長く形成された回動片内側部（８２）と、背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、を有し、折曲片を回動片内側部の内側に差し込んで蓋部を閉じた状態において、回動片内側部の先端が、折曲片において回動片内側部が対向する領域の下端よりも下側に突出し、蓋部を閉じた状態で、回動片外側部を第１折れ線を介して正面部本体に対して回動させることにより、回動片内側部が折曲片を持ち上げることを特徴とする。
【００１０】
上記第１の構成においては、回動片外側部を正面部本体に対して回動させることにより、回動片内側部が折曲片を持ち上げるので、蓋部を容易に開状態にすることができる。また、蓋部を閉じる際には、回動片内側部を正面部に対して折り返した状態とすればよいので、蓋部を閉じる操作を容易に行なうことができる。
【００１１】
また、包装箱の閉状態においては、回動片外側部は正面部本体と同一平面をなし、また、回動片内側部は包装箱内に収納されることから、包装箱を開状態とするための部材（回動片外側部や回動片内側部）が外部へ突出して邪魔になることがなく、また、包装箱の閉状態においては、回動片外側部は正面部本体と同一平面をなし、また、回動片内側部は包装箱内に正面部に対して折り返された状態であるので、包装箱を開状態とするための部材（回動片外側部や回動片内側部）が包装箱の内部に突出するおそれを小さくでき、包装箱の収納空間が制約されるおそれを小さくできる。
【００１２】
また、第２には、シート状のブランクにより形成された包装箱であって、
複数の側面部を有し、複数の側面部のうちの１つの側面部である正面部（３０）と、正面部と相対する側面部である背面部（５０）とを有する胴部で、正面部の上辺から一対の切目線（第１切目線としてもよい）（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、正面部の上辺から第２折れ線（Ｃ２、Ｃ３）を介して連設され、正面部に対して折り返した状態で正面部の内側に設けられた延長部で、該一対の切目線における各切目線の上端から連設された第２切目線（Ｌ１、Ｌ２）が設けられ、一対の該第２切目線間の領域である回動片内側部（８２）の基端である第２折れ線から回動片内側部の先端までの長さである第１長さ（Ｎ１）が回動片外側部の第２折れ線から第１折れ線までの長さである第２長さ（Ｎ２）よりも長く形成された延長部（８０）と、背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、を有し、折曲片を回動片内側部の内側に差し込んで蓋部を閉じた状態において、回動片内側部の先端が、折曲片において回動片内側部が対向する領域の下端よりも下側に突出し、蓋部を閉じた状態で、回動片外側部を正面部本体に対して回動させることにより、回動片内側部が折曲片を持ち上げることを特徴とする。
【００１３】
上記第２の構成においては、回動片外側部を正面部本体に対して回動させることにより、回動片内側部が折曲片を持ち上げるので、蓋部を容易に開状態にすることができる。また、蓋部を閉じる際には、回動片内側部を正面部に対して折り返した状態とすればよいので、蓋部を閉じる操作を容易に行なうことができる。
【００１４】
また、包装箱の閉状態においては、回動片外側部は正面部本体と同一平面をなし、また、延長部（特に、回動片内側部）は包装箱内に収納されることから、包装箱を開状態とするための部材（回動片外側部や回動片内側部）が外部へ突出して邪魔になることがなく、また、包装箱の閉状態においては、回動片外側部は正面部本体と同一平面をなし、また、延長部（特に、回動片内側部）は包装箱内に正面部に対して折り返された状態であるので、包装箱を開状態とするための部材（回動片外側部や回動片内側部）が包装箱の内部に突出するおそれを小さくでき、包装箱の収納空間が制約されるおそれを小さくできる。
【００１５】
また、第３には、シート状のブランクにより形成された包装箱であって、複数の側面部を有し、複数の側面部のうちの１つの側面部である正面部（３０）と、正面部と相対する側面部である背面部（５０）とを有する胴部で、正面部のの上辺から一対の切目線（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、回動片外側部の上辺から第２折れ線（Ｃ２）を介して連設され、第２折れ線に沿って帯状に形成された縁板部（７５ａ）と、縁板部の第２折れ線側とは反対側の辺部から第３折れ線（Ｃ６）を介して連設され、縁板部を介して回動片外側部に対して折り返した状態で正面部の内側に設けられた回動片内側部で、回動片内側部の基端である第３折れ線から回動片内側部の先端までの長さである第１長さ（Ｎ１）が回動片外側部の第２折れ線から第１折れ線までの長さである第２長さ（Ｎ２）よりも長く形成された回動片内側部（８２）と、背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、を有し、折曲片を回動片内側部の内側に差し込んで蓋部を閉じた状態において、回動片内側部の先端が、折曲片において回動片内側部が対向する領域の下端よりも下側に突出し、蓋部を閉じた状態で、回動片外側部を第１折れ線を介して正面部本体に対して回動させることにより、回動片内側部が折曲片を持ち上げることを特徴とする。
【００１６】
上記第３の構成においては、回動片外側部を正面部本体に対して回動させることにより、回動片内側部が折曲片を持ち上げるので、蓋部を容易に開状態にすることができる。また、蓋部を閉じる際には、回動片内側部を縁板部を介して正面部に対して折り返した状態とすればよいので、蓋部を閉じる操作を容易に行なうことができる。
【００１７】
また、包装箱の閉状態においては、回動片外側部は正面部本体と同一平面をなし、また、回動片内側部は包装箱内に収納されることから、包装箱を開状態とするための部材（回動片外側部や回動片内側部）が外部へ突出して邪魔になることがなく、また、包装箱の閉状態においては、回動片外側部は正面部本体と同一平面をなし、また、回動片内側部は包装箱内に縁板部を介して正面部に対して折り返された状態であるので、包装箱を開状態とするための部材（回動片外側部や回動片内側部）が包装箱の内部に突出するおそれを小さくでき、包装箱の収納空間が制約されるおそれを小さくできる。
【００１８】
また、第４には、シート状のブランクにより形成された包装箱であって、複数の側面部を有し、複数の側面部のうちの１つの側面部である正面部（３０）と、正面部と相対する側面部である背面部（５０）とを有する胴部で、正面部の上辺から一対の切目線（第１切目線としてもよい）（Ｋ１、Ｋ２）を形成することにより、該一対の切目線間の領域である回動片外側部（３２）が左右方向の第１折れ線（Ｃ１）を介して正面部における回動片外側部以外の領域である正面部本体（３４）に対して回動する胴部（１０）と、正面部の上辺から第２折れ線（Ｃ２）を介して連設され、第２折れ線に沿って帯状に形成された縁板部で、該一対の切目線から連設された切目線（Ｋ４、Ｋ５）が形成された縁板部（７５）と、縁板部の第２折れ線側とは反対側の辺部から第３折れ線（Ｃ６）を介して連設され、縁板部を介して正面部に対して折り返した状態で正面部の内側に設けられた延長部で、縁板部の一対の切目線から連設された第２切目線（Ｌ１、Ｌ２）が設けられ、一対の該第２切目線間の領域である回動片内側部（８２）の基端である第３折れ線から回動片内側部の先端までの長さである第１長さ（Ｎ１）が回動片外側部の第２折れ線から第１折れ線までの長さである第２長さ（Ｎ２）よりも長く形成された延長部（８０）と、背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、を有し、折曲片を回動片内側部の内側に差し込んで蓋部を閉じた状態において、回動片内側部の先端が、折曲片において回動片内側部が対向する領域の下端よりも下側に突出し、蓋部を閉じた状態で、回動片外側部を正面部本体に対して回動させることにより、回動片内側部が折曲片を持ち上げることを特徴とする。
【００１９】
上記第４の構成においては、回動片外側部を正面部本体に対して回動させることにより、回動片内側部が折曲片を持ち上げるので、蓋部を容易に開状態にすることができる。また、蓋部を閉じる際には、回動片内側部を縁板部を介して正面部に対して折り返した状態とすればよいので、蓋部を閉じる操作を容易に行なうことができる。
【００２０】
また、包装箱の閉状態においては、回動片外側部は正面部本体と同一平面をなし、また、延長部（特に、回動片内側部）は包装箱内に収納されることから、包装箱を開状態とするための部材（回動片外側部や回動片内側部）が外部へ突出して邪魔になることがなく、また、包装箱の閉状態においては、回動片外側部は正面部本体と同一平面をなし、また、延長部（特に、回動片内側部）は包装箱内に縁板部を介して正面部に対して折り返された状態であるので、包装箱を開状態とするための部材（回動片外側部や回動片内側部）が包装箱の内部に突出するおそれを小さくでき、包装箱の収納空間が制約されるおそれを小さくできる。
【００２１】
また、第５には、上記第２又は第４の構成において、延長部における回動片内側部以外の領域である延長部本体（８４）の正面部とは反対側の辺部から折れ線（Ｃ４、Ｃ５）を介して連設された保持部で、被収納物を保持するための穴部又は切欠部を有する保持部（９０）が設けられ、回動片内側部と保持部の境界位置には、一対の第２切目線から連設された第３切目線（Ｌ３）が形成されていることを特徴とする。
【００２２】
よって、穴部又は切欠部に被収納物を挿通して被収納物を保持部により保持した状態では、延長部が正面部に対して折り返した状態を維持できるので、延長部が包装箱の内側に突出するおそれをより小さくできる。
【００２３】
また、第６には、上記第５の構成において、保持部と延長部とを１つの平板状に展開した状態では、第３切目線が延長部と保持部間の折れ線に対して正面部側にずれて形成されていることを特徴とする。
【００２４】
よって、保持部を略水平として保持部により被収納物を保持させる際に、保持部を延長部に対して折り曲げて保持部を延長部に対して略直角とすることにより、回動片内側部の先端と保持部との間に間隔が形成されるので、回動片内側部の先端が保持部に接触して保持部が邪魔になることがない。また、保持部を延長部に対して略直角とすることにより、第３切目線を破断することができ、回動片外側部を回動させる際に第３切目線を破断させる必要がない。
【００２５】
なお、以下の構成としてもよい。すなわち、「上記第５の構成において、第３切目線が延長部と保持部間の折れ線の延長線上に形成され、回動片外側部を正面部本体に対して回動させることにより、第２切目線が破断することを特徴とする。」ものとしてもよい。
【００２６】
また、第７には、上記第２又は第４の構成において、延長部には、第２切目線の先端間に第３切目線（Ｌ３）が設けられ、第２切目線と第３切目線とにより、延長部が、回動片内側部と回動片内側部以外の領域である延長部本体とに区画されていることを特徴とする。
【００２７】
なお、以下の構成としてもよい。すなわち、「上記第７の構成において、延長部の先端側の辺部には、突状部が設けられ、胴部の底面を閉じる底面部の正面側の端部には該突状部と係止する穴部が設けられ、突状部を穴部に係止することにより、延長部が正面部の背面に沿って固定されることを特徴とする。」ものとしてもよい。
【００２８】
また、第８には、上記第５又は第６又は第７の構成において、第３切目線が切断予定線であることを特徴とする。よって、第３切目線としての切断予定線を破断しなければ回動片（回動片外側部と回動片内側部とからなる回動片）を回動させることができないので、不用意に回動片が回動して蓋部が胴部に対して持ち上げられてしまうことがない。
【００２９】
また、第９には、上記第１から第８までのいずれかの構成において、第１長さから第２長さを減じた長さは、第２長さよりも短いことを特徴とする。
【００３０】
よって、回動片外側部と回動片内側部とで梃の原理により折曲片を押し上げるので、回動片外側部を回動させる力が小さくても、蓋部を押し上げることができる。
【００３１】
また、第１０には、上記第１から第９までのいずれかの構成において、胴部を構成する複数の側面部が順次連設されていることを特徴とする。
【００３２】
また、第１１には、上記第１から第９までのいずれかの構成において、底面部が少なくとも正面側の辺部と背面側の辺部とを有する１つの部材により形成され、胴部を構成する側面部は底面部の各辺部から連設され、正面部は底面部の正面側の辺部から連設され、背面部は底面部の背面側の辺部から連設されていることを特徴とする。
【００３３】
なお、以下の構成としてもよい。すなわち、「上記第１から第１１までのいずれかの構成において、胴部が、正面部及び背面部の右側面側の辺部から連設された右側面部（４０）と、正面部及び背面部の左側面側の辺部から連設された左側面部（６０）とを有し、
右側面部の上辺から折れ線を介して連設された第１上フラップ部（１１０）と、左側面部の上辺から折れ線を介して連設された第２上フラップ部（１２０）と、胴部の底面を閉じる底面部（２００）とが設けられ、蓋部を閉じた状態において、折曲片が、延長部と第１上フラップ部に挟まれているとともに、延長部と第２上フラップ部に挟まれていることを特徴とする。」ものとしてもよい。
【００３４】
また、第１２には、上記第１から第１１までのいずれかの構成において、第２切目線が切断予定線であり、回動片外側部を正面部本体に対して回動させることにより、第２切目線が破断することを特徴とする。
【００３５】
よって、第２切目線としての切断予定線を破断しなければ回動片（回動片外側部と回動片内側部とからなる回動片）を回動させることができないので、不用意に回動片が回動して蓋部が胴部に対して持ち上げられてしまうことがない。また、回動片外側部を回動させる操作において、第２切目線を破断できるので、第２破断線を破断するための別の操作が必要になることがない。
【００３６】
また、第１３には、上記第１から第１２までのいずれかの構成において、正面部の一対の切目線における各切目線が、一方の端部から他方の端部まで連続した切込みにより形成されていることを特徴とする。
【００３７】
また、第１４には、以下の構成としてもよい。すなわち、「シート状のブランクにより形成された包装箱であって、四角筒状を呈し、正面部（３０）と右側面部（４０）と背面部（５０）と左側面部（６０）とを有する胴部で、正面部の上辺から一対の第１切目線（Ｋ１、Ｋ２）を形成することにより、該一対の第１切目線間の領域である回動片外側部（３２）が左右方向の第１折れ線（Ｃ１）を介して正面部における回動片外側部以外の領域である正面部本体（３４）に対して回動する胴部（１０）と、正面部の上辺から第２折れ線（Ｃ２、Ｃ３）を介して連設され、正面部に対して折り返した状態で正面部の内側に設けられた延長部で、一対の第１切目線における各第１切目線の上端から連設された第２切目線（Ｌ１、Ｌ２）が設けられ、一対の該第２切目線間の領域である回動片内側部（８２）の基端である第２折れ線から回動片内側部の先端までの長さである第１長さ（Ｎ１）が回動片外側部の第２折れ線から第１折れ線までの長さである第２長さ（Ｎ２）よりも長く形成された延長部（８０）と、延長部における回動片内側部以外の領域である延長部本体の正面部とは反対側の辺部から折れ線（Ｃ４、Ｃ５）を介して連設されるとともに、回動片内側部とは一対の第２切目線から連設された第３切目線（Ｌ３）を介して隣接した保持部で、被収納物を保持するための穴部又は切欠部を有する保持部（９０）と、背面部から連設された蓋部で、背面部の上辺から折れ線（Ｃ８）を介して連設された蓋板部（１３２）と、蓋板部の背面部側とは反対側の辺部から折れ線（Ｃ９）を介して連設された折曲片（１３４）とを有する蓋部（１３０）と、を有し、折曲片を回動片内側部の内側に差し込んで蓋部を閉じた状態において、回動片内側部の先端が折曲片の下端よりも下側に突出し、蓋部を閉じた状態で、回動片外側部を正面部本体に対して回動させることにより、回動片内側部が折曲片を持ち上げることを特徴とする。」ものとしてもよい。
【００３８】
なお、上記第１４の構成において、「正面部の上辺から第２折れ線（Ｃ２、Ｃ３）を介して連設され、正面部に対して折り返した状態で正面部の内側に設けられた延長部で、一対の第１切目線における各第１切目線の上端から連設された第２切目線（Ｌ１、Ｌ２）が設けられ、一対の該第２切目線間の領域である回動片内側部（８２）の基端である第２折れ線から回動片内側部の先端までの長さである第１長さ（Ｎ１）が回動片外側部の第２折れ線から第１折れ線までの長さである第２長さ（Ｎ２）よりも長く形成された延長部（８０）と、」を「正面部の上辺から第２折れ線を介して連設され、第２折れ線に沿って帯状に形成された縁板部で、一対の第１切目線から連設された切目線が形成された縁板部と、縁板部の第２折れ線側とは反対側の辺部から第３折れ線を介して連設され、縁板部を介して正面部に対して折り返した状態で正面部の内側に設けられた延長部で、一対の第１切目線における各第１切目線の上端から連設された第２切目線（Ｌ１、Ｌ２）が設けられ、一対の該第２切目線間の領域である回動片内側部（８２）の基端である第３折れ線から回動片内側部の先端までの長さである第１長さ（Ｎ１）が回動片外側部の第２折れ線から第１折れ線までの長さである第２長さ（Ｎ２）よりも長く形成された延長部（８０）と、」としてもよい。
【発明の効果】
【００３９】
本発明に基づく包装箱によれば、回動片外側部を正面部本体に対して回動させることにより、回動片内側部が折曲片を持ち上げるので、蓋部を容易に開状態にすることができる。また、蓋部を閉じる際には、回動片内側部を正面部に対して折り返した状態とすればよいので、蓋部を閉じる操作を容易に行なうことができる。
【００４０】
また、包装箱の閉状態においては、回動片外側部は正面部本体と同一平面をなし、また、回動片内側部は包装箱内に収納されることから、包装箱を開状態とするための部材（回動片外側部や回動片内側部）が外部へ突出して邪魔になることがなく、また、包装箱の閉状態においては、回動片外側部は正面部本体と同一平面をなし、また、回動片内側部は包装箱内に正面部に対して折り返された状態であるので、包装箱を開状態とするための部材（回動片外側部や回動片内側部）が包装箱の内部に突出するおそれを小さくでき、包装箱の収納空間が制約されるおそれを小さくできる。
【図面の簡単な説明】
【００４１】
【図１】蓋部が閉止された状態の包装箱の前方斜視図である。
【図２】蓋部が開放された状態の包装箱の前方斜視図である。
【図３】蓋部が開放された状態の包装箱の後方斜視図である。
【図４】包装箱の展開図である。
【図５】図４の要部拡大図である。
【図６】延長部及び保持部が展開された状態の包装箱の前方斜視図である。
【図７】包装箱の使用方法を示す前方斜視図である。
【図８】包装箱の使用方法を示す前方斜視図である。
【図９】包装箱の使用方法を示す前方斜視図である。
【図１０】包装箱の使用方法を示す要部拡大断面図である。
【図１１】包装箱の他の例を示す展開図である。
【図１２】従来の包装箱における蓋部が閉止された状態を示す前方斜視図である。
【図１３】従来の包装箱における蓋部が開放された状態を示す前方斜視図である。
【発明を実施するための形態】
【００４２】
本発明においては、筒状の胴部の上端から連設された蓋部の折曲片を胴部の内側に差し込むことにより蓋部を閉じる包装箱において、閉状態の蓋部を開ける操作を容易に行なうことができるとともに、蓋部を閉じる操作も容易に行なうことができ、さらには、包装箱を開状態とするための部材が外部に突出して邪魔となることがなく、包装箱を開状態とするための部材が内部へ突出せずに包装箱の収納空間が制約されることがない包装箱を提供するという目的を以下にょうにして実現した。
【実施例１】
【００４３】
本発明に基づく包装箱５は、図１〜図５に示すように構成され、胴部（スリーブ状部としてもよい）１０と、胴部１０の上端から折れ線Ｃ２、Ｃ３を介して連設された延長部８０と、延長部８０の先端（胴部１０と反対側の端部）から折れ線Ｃ４、Ｃ５を介して連設された保持部９０と、胴部１０の上端を閉塞するための上面部１００と、胴部１０の下端を閉塞するための底面部２００とを有し、包装箱５は、全体に１枚のシート状のブランク（具体的には、段ボール製（例えば、薄型段ボール製）のブランクであり、厚紙製のブランク等の他の紙製のブランクでもよい）により形成されている。つまり、包装箱５は、段ボール材（特に、両面段ボール材）等の紙製の包装箱である。段ボールにおける断面略波形形状の中芯の段の方向は、図４における円内に示す方向となっていて、例えば、正面部３０の下辺とは直角となっている（なお、段ボールにおける中芯の段の方向はこれには限られない）。
【００４４】
ここで、胴部１０は、四角筒状を呈し、略方形状の板状を呈している正面部３０と、正面部３０の右側面側の辺部から折れ線を介して連設され、方形状の板状を呈している右側面部４０と、右側面部４０の背面側の辺部から折れ線を介して連設され、方形状の板状を呈し、正面部３０と略同大同形状に形成されている背面部５０と、背面部５０の左側面側の辺部から折れ線を介して連設され、右側面部４０と略同大同形状に形成されている左側面部６０と、正面部３０の左側面側の辺部から折れ線を介して連設され、帯状の台形形状を呈し、左側面部６０の内側面における正面側の端部に接着されている糊代部７０とを有している。つまり、胴部１０は、糊代部７０を左側面部６０の正面側の端部領域に接着させることにより、四角筒状に形成され、正面部３０と、右側面部４０と、背面部５０と、左側面部６０は、胴部１０を構成する各側面部であり、胴部１０を構成する各部を順次連設することにより、包装箱５の周壁２２が構成されている。
【００４５】
ここで、正面部３０は、方形状（具体的には、縦長長方形状）の上端に突状部３６を設けた形状を有し、正面部３０には、正面部３０の上辺（折れ線Ｃ２、Ｃ３に沿った辺部、他においても同じ）から下方へ一対の切込み（第１切目線）Ｋ１、Ｋ２が設けられている。すなわち、切込みＫ１、Ｋ２は、正面部３０の上辺に対して直角をなし、上下方向に形成されていて、切込みＫ１、Ｋ２の上端は正面部３０の上辺と接している。なお、切込みＫ１、Ｋ２の下端は、破れ防止のために外側に略円弧状に湾曲して形成されている。切込みＫ１、Ｋ２は、該湾曲した部分を除き、上下方向（正面部３０の上辺に対して直角な方向）に直線状に形成され、互いに平行に形成されている。
【００４６】
切込み（第１切込み）Ｋ１は、正面部３０の中央よりも左側面側寄りの位置に形成され、切込み（第２切込み）Ｋ２は、正面部３０の中央よりも右側面側寄りの位置に形成されている。切込みＫ１と切込みＫ２とは左右対称に形成され、切込みＫ１、Ｋ２は、一方の端部から他方の端部まで連続した切込みにより形成されている。
【００４７】
また、切込みＫ１の下端と切込みＫ２の下端間には、折れ線（第１折れ線）Ｃ１が左右方向（正面部３０の上辺に対して平行な方向）に形成されている。
【００４８】
つまり、正面部３０は、切込みＫ１と切込みＫ２との間の領域（切込みＫ１と、切込みＫ２と、折れ線Ｃ１と、正面部３０の上辺（破断線Ｌ１と破断線Ｌ２間の部分）及び切込みＫ３による辺部により囲まれた領域）である回動片外側部３２と、正面部３０における回動片外側部３２を除いた領域である正面部本体３４とを有している。
【００４９】
また、正面部３０の回動片外側部３２と延長部８０との境界における左右方向の中央位置には、略コ字状の切込み（第３切込み）Ｋ３が形成され、これにより、回動片外側部３２の上端には上方に突出する突状部３６が形成されている。つまり、回動片外側部３２は、突状部３６と、回動片外側部３２における突状部３６を除いた領域である本体部３８とを有している。
【００５０】
なお、切込みＫ３は、左右方向に形成された切込みＫ３ａと、切込みＫ３ａの左側面側の端部から本体部３８側に向かって略上下方向に形成された切込みＫ３ｂと、切込みＫ３ａの右側面側の端部から本体部３８側に向かって略上下方向に形成された切込みＫ３ｃとから構成され、切込みＫ３ｂ及び切込みＫ３ｃは、切込みＫ３ａに対して鈍角をなしている。つまり、切込みＫ３ｂと切込みＫ３ｃは、下方にいくに従い互いの距離が長くなるように、正面部３０の上辺に対して傾斜して形成されている。切込みＫ３ｂは、折れ線Ｃ２よりも若干下方に突出し、切込みＫ３ｃは、折れ線Ｃ３よりも若干下方に突出している。
【００５１】
また、延長部８０は、正面部３０の上辺から折れ線Ｃ２、Ｃ３を介して連設され、略方形状の板状を呈し、左右方向の長さは正面部３０や背面部５０の左右方向の長さと略同一（厳密には、若干短い）である。
【００５２】
また、延長部８０には、破断線（第２切目線）Ｌ１と破断線（第２切目線）Ｌ２とが形成され、延長部８０と保持部９０の境界線に沿って破断線（第３切目線）Ｌ３が形成されている。つまり、破断線Ｌ１、Ｌ２、Ｌ３は、切断予定線である。
【００５３】
破断線Ｌ１は、正面部３０の切込みＫ１の上端から延長部８０の先端の辺部まで形成され、破断線Ｌ２は、正面部３０の切込みＫ２の上端から延長部８０の先端の辺部まで形成され、破断線Ｌ３は、破断線Ｌ１と破断線Ｌ２の先端（保持部９０側の端部）間に形成されている。
【００５４】
つまり、延長部８０は、破断線Ｌ１と破断線Ｌ２との間の領域（破断線Ｌ１と、破断線Ｌ２と、破断線Ｌ３と、延長部８０の正面部３０側の辺部（破断線Ｌ１と破断線Ｌ２の間の部分）により囲まれた領域）である回動片内側部８２と、延長部８０における回動片内側部８２を除いた領域である延長部本体８４とを有している。なお、回動片外側部３２と回動片内側部８２とで、回動片３１が構成される。
【００５５】
なお、破断線Ｌ１と破断線Ｌ２は、その基端側（正面部３０側）から先端側（保持部９０側）にいくに従い破断線Ｌ１と破断線Ｌ２間の距離が短くなり、延長部８０の中央側に近付く傾斜状に形成されている。つまり、破断線Ｌ１及び破断線Ｌ２は、破断線Ｌ３に対して鈍角をなしている。
【００５６】
また、正面部３０と延長部８０との境界位置における切込みＫ３の両側には折れ線Ｃ２、Ｃ３が形成されている。つまり、切込みＫ３ｂの下端と正面部３０の左側面側の端部との間の位置には、折れ線（第２折れ線）Ｃ２が形成され、切込みＫ３ｃの下端と右側面側の端部との間の位置には、折れ線（第２折れ線）Ｃ３が形成され、折れ線Ｃ２と、折れ線Ｃ３は、同一直線上に形成されてる。
【００５７】
なお、延長部８０において、破断線Ｌ３は折れ線Ｃ４、Ｃ５よりも正面部３０側にずれて形成され、回動片内側部８２の長さ（折れ線Ｃ２、Ｃ３と破断線Ｌ３間の長さ）は、延長部本体８４の長さ（折れ線Ｃ２と折れ線Ｃ４間の長さ、折れ線Ｃ３と折れ線Ｃ５間の長さ）よりも短く形成され、延長部８０には、折れ線Ｃ４の内側の端部と破断線Ｌ１と破断線Ｌ３の角部間に形成された直線状の辺部８０ａと、折れ線Ｃ５の内側の端部と破断線Ｌ２と破断線Ｌ３の角部間に形成された直線状の辺部８０ｂとを有し、辺部８０ａは、折れ線Ｃ４側から破断線Ｌ１と破断線Ｌ３の角部にいくに従い折れ線Ｃ２との距離が短くなるように折れ線Ｃ２に対して傾斜して形成され、辺部８０ｂは、折れ線Ｃ５側から破断線Ｌ２と破断線Ｌ３の角部にいくに従い折れ線Ｃ３との距離が短くなるように折れ線Ｃ３に対して傾斜して形成されている。つまり、辺部８０ａは破断線Ｌ１の延長線上に形成され、辺部８０ｂは破断線Ｌ２の延長線上に形成されている。
【００５８】
包装箱５が組み立てられた状態においては、図２、図３、図６、図１０に示すように、延長部８０は、折れ線Ｃ２、Ｃ３を介して正面部３０に対して内側に折り返されている。つまり、回動片内側部８２は、折れ線Ｃ２、Ｃ３を介して回動片外側部３２に対して内側に折り返されている。
【００５９】
また、回動片内側部８２の長さＮ１（回動片内側部８２の基端（折れ線Ｃ２、Ｃ３側の端部）から先端までの長さ、つまり、折れ線Ｃ２、Ｃ３から破断線Ｌ３までの長さ）は、回動片外側部３２の長さＮ２（回動片外側部の基端（折れ線Ｃ１側の端部）から突状部３６を除く先端（折れ線Ｃ２、Ｃ３側の端部）までの長さ、つまり、折れ線Ｃ１から折れ線Ｃ２、Ｃ３までの長さ）よりも長く形成され、そのため、各破断線Ｌ１、Ｌ２、Ｌ３を破断させて、回動片外側部３２を回動片内側部８２とともに外側に傾倒させることにより、回動片外側部３２及び回動片内側部８２は、折れ線Ｃ１を介して回動し、回動片内側部８２の先端は、円弧軌道を描きながら、正面部３０の内側に突出しつつ上昇し、回動片内側部８２の先端が折曲片１３４の下端に接して回動片内側部８２の先端により折曲片１３４が押し上げられることにより、蓋部１３０が押し上げられる（詳細については後説する）。
【００６０】
また、回動片内側部８２の長さＮ１から回動片外側部３２の長さＮ２を減じた長さは、長さＮ２よりも短く、これにより、回動片内側部８２と回動片外側部３２とが重なった状態では、回動片内側部８２の回動片外側部３２の基端から突出した長さ（長さＮ１から長さＮ２を減じた長さ）は、回動片外側部３２の長さＮ２よりも短く、梃（てこ）の原理により、少ない力で折曲片１３４を押し上げることができる。つまり、回動片外側部３２を回動させる力が小さくても、蓋部１３０を押し上げることができる。
【００６１】
また、保持部９０は、延長部８０の先端（正面部３０と反対側の端部）の辺部から折れ線Ｃ４、Ｃ５（第５折れ線）を介して連設され、略方形状の中央に略円形（具体的には、楕円形）の穴部を形成するとともに、右側面側の先端の角部を円弧状に切り欠いた形状を呈している。つまり、中央に穴部９０ａが形成されるとともに、右側面側の先端の角部に切欠部９０ｂが形成された保持部９０が、延長部８０の先端の辺部から連設されている。
【００６２】
また、保持部９０と延長部８０との境界位置における破断線Ｌ３以外の位置には、折れ線が形成されている。つまり、破断線Ｌ３の左側面側には、折れ線（第５折れ線）Ｃ４が形成され、破断線Ｌ３の右側面側には、折れ線（第５折れ線）Ｃ５が形成され、折れ線Ｃ４と折れ線Ｃ５は、同一直線上に形成されている。また、包装箱５の展開状態において、破断線Ｌ３は、折れ線Ｃ４、Ｃ５に対して、折れ線Ｃ２、Ｃ３と直角の方向に折れ線Ｃ２、Ｃ３側にずれて形成されていて（つまり、保持部９０と延長部８０とを１つの平板状に展開した状態では、破断線Ｌ３が折れ線Ｃ４、Ｃ５に対して折れ線Ｃ２、Ｃ３側にずれて形成されている）、保持部９０の延長部８０側の端部においては、折れ線Ｃ４と折れ線Ｃ５の間の部分が折れ線Ｃ４、Ｃ５よりも突出して形成されている。このように、折れ線Ｃ４、Ｃ５と破断線Ｌ３とがずれて形成されているので、保持部９０を延長部８０に対して折り曲げた際に、破断線Ｌ３が自動的に破断するようになっており、回動片３１を回動させる際に破断線Ｌ３を破断させる必要がない。また、折れ線Ｃ４、Ｃ５と破断線Ｌ３とがずれて形成されているので、保持部９０を延長部８０に対して折り曲げた際に、内側板部８２の先端と保持部９０との間には間隔が設けられ、回動片３１が回動する際に、内側板部８２の先端が保持部９０に接触して保持部９０が邪魔になることがない。また、破断線Ｌ３と折れ線Ｃ４、Ｃ５を同一直線上に形成しないことにより、破断線Ｌ３を破断した際に、折れ線Ｃ４、Ｃ５が破れてしまうのを防止することができる。
【００６３】
包装箱５が組み立てられた状態においては、図２、図３に示すように、保持部９０は、折れ線Ｃ４、Ｃ５を介して延長部８０に対して内側に折り曲げられて略水平に設けられ、図１０に示すように包装箱５に収納されたボトルＢの首部を穴部９０ａに通すことにより、ボトルＢを保持できるようになっている。
【００６４】
次に、上面部１００について説明する。上面部１００は、上フラップ部（フラップ部）１１０と、上フラップ部（フラップ部）１２０と、蓋部１３０と有している。
【００６５】
上フラップ部１１０は、右側面部４０の上端の辺部から折れ線を介して連設され、略台形形状（両側の辺部のうち一方の辺部（背面部５０側の辺部）が右側面部４０の上辺に対して直角の台形形状から正面部３０側の端部を背面側の辺部と平行に切り欠いた形状）の先端に略方形状を連設した形状を呈している。つまり、上フラップ部１１０は、正面側に右側面部４０の上辺に対して直角の辺部１１０ａを有し、蓋部１３０を閉じた状態においては、折曲片１３４は延長部８０と辺部１１０ａとに挟まれた状態となる。上フラップ部１１０の基端の辺部（右側面部６０側の辺部）から先端の辺部（右側面部６０と反対側の辺部）までの長さは、正面部３０や背面部５０の左右方向の長さの１／２以下の長さに形成されている。
【００６６】
また、上フラップ部１２０は、左側面部６０の上端の辺部から折れ線を介して連設され、略台形形状（両側の辺部のうち一方の辺部（背面部５０側の辺部）が左側面部６０の上辺に対して直角の台形形状から正面部３０側の端部を切り欠いた形状）の先端に略方形状を連設した形状を呈しており、つまり、上フラップ部１１０に対して対称（線対称）の形状を呈し、上フラップ部１２０は、正面側に左側面部６０の上辺に対して直角の辺部１２０ａを有し、蓋部１３０を閉じた状態においては、折曲片１３４は延長部８０と辺部１２０ａとに挟まれた状態となる。上フラップ部１２０の基端の辺部（左側面部６０側の辺部）から先端の辺部（左側面部６０と反対側の辺部）までの長さは、正面部３０や背面部５０の左右方向の長さの１／２以下の長さに形成されている。
【００６７】
また、蓋部１３０は、背面部５０の上辺から折れ線Ｃ８を介して連設された蓋板部１３２と、蓋板部１３２の先端の辺部（背面部５０と反対側の辺部）から折れ線Ｃ９を介して連設された折曲片１３４とを有している。
【００６８】
蓋板部１３２は、方形状の板状を呈し、左右方向の長さは正面部３０や背面部５０の左右方向の長さと略同一であり、蓋板部１３２の基端の辺部（背面部５０側の辺部）から先端の辺部までの長さ（つまり、折れ線Ｃ８から折れ線Ｃ９までの長さ）は、右側面部４０や左側面部６０の横方向の長さと略同一となっている。
【００６９】
また、折曲片１３４は、折れ線Ｃ９に沿った辺部と、折れ線Ｃ９の両側の端部から折れ線Ｃ９に対して直角の一対の辺部と、折れ線Ｃ９に沿った辺部と反対側の辺部で折れ線Ｃ９の方向に対して傾斜した辺部からなる四角形状における先端側の両側の角部にアールを設けた形状を呈している。すなわち、折曲片１３４は、折れ線Ｃ９に沿った辺部１３４ａと、辺部１３４ａの右側面側の端部から辺部１３４ａに対して直角に形成された直線状の辺部１３４ｂと、辺部１３４ｂの辺部１３４ａ側とは反対側の端部から連設された略円弧状の辺部１３４ｃと、辺部１３４ｃの辺部１３４ｂ側とは反対側の端部から連設された直線状の辺部で、辺部１３４ａの方向に対して傾斜した辺部１３４ｄと、辺部１３４ｄの辺部１３４ｃ側とは反対側の端部から連設された略円弧状の辺部１３４ｅと、辺部１３４ｅの辺部１３４ｄ側とは反対側の端部から連設され、辺部１３４ａに対して直角に形成された直線状の辺部１３４ｆとにより形成されている。
【００７０】
辺部１３４ｄは、折れ線Ｃ９との距離が左側面側にいくほど長くなるように折れ線Ｃ９に対して傾斜しており、折曲片１３４は、左側面側の先端が突出した形状となっている。
【００７１】
なお、折曲片１３４の左右方向の長さ（辺部１３４ａの長さ）は、蓋部１３０を閉状態とする際に、折曲片１３４を延長部８０の内側に差し込むことができる長さに形成されており、上記のように、折曲片１３４の左側面側の先端を突出した形状とすることにより、折曲片１３４の突出した部分から延長部８０の内側に差し込むことにより、折曲片１３４の延長部８０の内側への差込みを容易としている。
【００７２】
また、折曲片１３４の基端から先端までの長さ（最大長さ）Ｎ３は、回動片内側部８２の長さＮ１よりも短く形成されている。
【００７３】
次に、底面部２００について説明する。底面部２００は、片部２１０と、片部２２０と、片部２３０と、片部２４０とを有している。
【００７４】
片部２１０は、正面部３０の下辺から折れ線を介して連設され、台形形状（両側の側辺が正面部３０の下端の辺部に対して傾斜した台形形状）の先端に略方形状を連設した形状を呈している。また、片部２２０は、右側面部４０の下端の辺部から折れ線を介して連設され、台形形状（両側の側辺のうち一方の側辺（正面部３０側の側辺）が右側面部４０の下端の辺部に対して直角の台形形状）の先端に略方形状を連設した形状を呈している。また、片部２３０は、背面部５０の下端の辺部から折れ線を介して連設され、方形状の先端側において略方形状の切欠部を形成した形状を呈している。また、片部２４０は、左側面部６０の下端の辺部から折れ線を介して連設され、包装箱５の展開状態において、片部２２０に対して対称（線対称）の形状を呈している。このような底面部２００は、Ｂ式底組みタイプと呼ばれていて、アメリカンロック又は地獄底とも呼ばれている。
【００７５】
なお、上記において、折れ線の箇所には、折曲げ用の罫線が形成されていて、具体的には、ブランクの外側の面から押圧した押罫が形成されていて、例えば、折れ線Ｃ１、Ｃ２、Ｃ３、Ｃ４、Ｃ５は、図６の状態において、正面側の面からの押罫が形成されている。
【００７６】
次に、上記構成の包装箱５の使用方法について説明する。包装箱５は、上記のように構成されているので、延長部８０及び保持部９０と蓋部１３０と上フラップ部１１０、１２０が胴部１０の上方に伸び、かつ、底面部２００を構成する片部２１０、２２０、２３０、２４０が胴部１０の下方に伸びた状態で、胴部１０を畳んだ状態とすることにより、包装箱５を扁平に畳んだ状態とすることができる。包装箱５を畳んだ状態では、胴部１０における正面部３０と右側面部４０とが略平行で、背面部５０と左側面部６０が略平行となる。
【００７７】
包装箱５を畳んだ状態から組み立てるには、底面部２００を組み立ててボトルＢを収納できる状態とする。すなわち、片部２３０の底面側から片部２２０、２４０を重ねた状態で、片部２１０の先端を片部２３０と片部２２０、２４０により形成される隙間に差し込むことにより、底面部２００が組み立てられる。
【００７８】
その後、ボトルＢを胴部１０内に収納し、延長部８０を正面部３０に対して内側に折り返した状態とし、その後、保持部９０の穴部９０ａにボトルＢの首部を挿通して、保持部９０を略水平とする。保持部９０を略水平とすることにより、延長部８０が正面部３０の内側に折り返して正面部３０に対して略平行とした状態を維持することができ、包装箱の収納空間が制約されるおそれをより小さくすることができる。また、保持部９０を略水平とした際に、保持部９０は延長部８０と略直角となり、保持部９０は延長部８０に対して折り曲げられるので、保持部９０を延長部８０に対して折り曲げた際に、破断線Ｌ３が破断する。この時点では、包装箱５自体は、図２、図３に示す状態となっている（つまり、図２、図３においてボトルが収納された状態となっている）。
【００７９】
なお、ボトルＢを収納する際には、収納しやすいように、図６に示すように、蓋部１３０と上フラップ部１１０、１２０を胴部１０に対して開いた状態とし、蓋部１３０においては、折曲片１３４を蓋板部１３２に対して折り曲げた状態とし、延長部８０を正面部３０に対して折り曲げた状態とし（折れ線Ｃ２、Ｃ３が外側から見て山折りとなる）、保持部９０を延長部８０に対して折り曲げた状態としておくのが好ましい（折れ線Ｃ４、Ｃ５が外側から見て谷折りとなる）。
【００８０】
その後、上フラップ部１１０、１２０を内側に回動させ（上フラップ部１１０を右側面部４０に対して内側に回動させ、上フラップ部１２０を左側面部６０に対して内側に回動させる）、さらに、蓋部１３０を折曲片１３４が蓋板部１３２に対して内側に折り曲げた状態で背面部５０に対して内側に回動させて、折曲片１３４を延長部８０の内側に差し込むことにより、包装箱５が閉状態となる。蓋部１３０が閉状態の際には、図１、図１０（ａ）に示す状態となる。
【００８１】
なお、蓋部１３０の閉状態では、回動片内側部８２の上端と折曲片１３４の上端とは高さ方向において略一致した状態となるが、折曲片１３４の基端から先端までの長さＮ３は、回動片内側部８２の長さＮ１よりも短く形成されているので、回動片内側部８２の下端は、折曲片１３４の下端よりも高さ方向において下側に位置している。つまり、回動片内側部８２の先端が折曲片１３４の下端よりも下側（下方としてもよい）に突出している。なお、回動片内側部８２が折曲片１３４を押し上げるので、少なくとも、回動片内側部８２の先端が、折曲片１３４において回動片内側部８２が対向する領域（回動片内側部８２が接する領域としてもよい）（図４において、ハッチングに示す領域）の下端よりも下側に突出していればよい。
【００８２】
なお、包装箱５を保管する際には、包装箱５を扁平に畳んだ状態としてもよいが、図１に示すように、包装箱５を組み立てた状態としてもよい。
【００８３】
次に、閉状態の包装箱５を開ける場合には、図７に示すように、回動片外側部３２の突状部３６に指を掛け、回動片外側部３２を折れ線Ｃ１を介して外側に回動させる。すると、回動片外側部３２が回動して鉛直方向に対して傾斜するに伴い、回動片内側部８２が鉛直方向に対して傾斜し、回動片内側部８２が傾斜するに伴い、図１０（ｂ）に示すように、折曲片１３４の下端が回動片内側部８２により背面側に押される。なお、回動片内側部８２が傾斜する際には、破断線Ｌ１、Ｌ２が破断して回動片内側部８２が延長部本体８４から分離する。なお、回動片外側部３２を回動させる操作において、破断線Ｌ１、Ｌ２を破断できるので、破断線Ｌ１、Ｌ２を破断するための別の操作が必要になることがない。
【００８４】
その後、回動片外側部３２をさらに回動させることにより、図１０（ｃ）、図８に示すように、回動片内側部８２により折曲片１３４の下端が押し上げられる。そして、回動片外側部３２をさらに回動させることにより、図１０（ｄ）、図９に示すように、回動片内側部８２により折曲片１３４の下端が押し上げられ、蓋板部１３２と上フラップ部１１０、１２０との間に隙間が大きく形成される。蓋板部１３２と上フラップ部１１０、１２０との間に隙間が大きく形成されるので、蓋板部１３２の左右両側の辺部に指を掛けて上方にひっぱることにより蓋部１３０を開状態とすることができる。
【００８５】
なお、折曲片１３４の先端の辺部１３４ｄが辺部１３４ａの方向に対して傾斜しているので、折曲片１３４が回動辺内側部８２により持ち上げられた際に、蓋板部１３２と上フラップ部１２０間の隙間が蓋板部１３２と上フラップ部１１０間の隙間よりも大きいので、蓋板部１３２の左側面側の辺部の方が右側面側の辺部よりも指をひっかけやすく、五指の中でも太い指である親指をひっかけるのに適している。
【００８６】
図面において、図１０（ａ）は図７の状態に対応し、図１０（ｃ）は図８の状態に対応し、図１０（ｄ）は図９の状態に対応している。
【００８７】
また、包装箱５においては、蓋部１３０を開ける際に、回動片３１を回動させると破断線Ｌ１、Ｌ２が破断するが、再び蓋部１３０を閉じて回動片３１を回動させることにより蓋部１３０の開動作を行なうことができるので、蓋部１３０の開閉を繰り返し行なうことができる。
【００８８】
なお、収納されたボトルＢを取り出すには、蓋部１３０を開けた状態で、保持部９０の穴部９０ａにボトルＢの首部が挿通した状態を解除させて、図６に示す状態とする。穴部９０ａにボトルＢの首部が挿通した状態を解除するには、保持部９０の切欠部９０ｂに指をかけて保持部９０を引き上げる。
【００８９】
なお、上記の説明においては、保持部９０が設けられるとしたが、保持部９０の構成を省略した構成としてもよく、また、保持部９０を省略し、さらに、延長部本体８４を省略した構成としてもよい。保持部９０の構成を省略した場合には、延長部８０においては、回動片内側部８２は延長部本体８４と破断線Ｌ１、Ｌ２を介して連設され、破断線Ｌ３は設けられない。
【００９０】
以上のように、本発明に基づく包装箱５によれば、回動片外側部３２を折れ線Ｃ１を介して外側に回動させることにより、回動片内側部８２により折曲片１３４を押し上げることができるので、容易に蓋部１３０を開状態にすることができる。特に、回動片内側部８２と回動片外側部３２とが重なった状態では、回動片内側部８２の回動片外側部３２の基端から突出した長さ（長さＮ１から長さＮ２を減じた長さ）は、回動片外側部３２の長さＮ２よりも短く、梃（てこ）の原理により、少ない力で折曲片１３４を押し上げることができる。
【００９１】
また、蓋部１３０を閉じる際には、延長部８０を正面部３０に対して折り返した状態とし、保持部９０を略水平状態とすればよいので、蓋部を閉じる操作を容易に行なうことができる。この点は、保持部９０を省略した場合や保持部９０と延長部本体８４を省略した場合も同様であり、保持部９０を省略した場合には、蓋部１３０を閉じる際には、延長部８０を正面部３０に対して折り返した状態とすればよく、また、保持部９０と延長部本体８４を省略した場合においても、回動片内側部８２を正面部３０に対して折り返した状態とすればよいので、蓋部を閉じる操作を容易に行なうことができる。
【００９２】
また、包装箱５の閉状態においては、回動片外側部３２は正面部本体３４と同一平面をなし、また、延長部８０（特に、回動片内側部８２）は包装箱５内に収納されることから、包装箱を開状態とするための部材（回動片外側部３２や回動片内側部８２）が外部へ突出して邪魔になることがない。この点は、保持部９０を省略した場合や保持部９０と延長部本体８４を省略した場合も同様である。
【００９３】
また、包装箱５の閉状態においては、回動片外側部３２は正面部本体３４と同一平面をなし、また、延長部８０（特に、回動片内側部８２）は包装箱５内に正面部３０に対して折り返された状態であるので、包装箱を開状態とするための部材（回動片外側部３２や回動片内側部８２）が包装箱５の内部に突出するおそれを小さくでき、包装箱の収納空間が制約されるおそれを小さくできる。この点は、保持部９０を省略した構成や保持部９０と延長部本体８４を省略した構成の場合も同様である。なお、特に、保持部９０を設けた構成とすることにより、穴部９０ａにボトルＢの首部を挿通することにより保持部９０が略水平方向に維持されて、延長部８０が正面部３０に対して折り返した状態を維持できるので、延長部８０が包装箱５の内側に突出するおそれがより小さくなる。
【００９４】
また、回動片内側部８２が破断線Ｌ１、Ｌ２を介して延長部本体８４に連設され、破断線Ｌ３を介して保持部９０に連設されているので、破断線を破断しなければ回動片３１（回動片外側部３２と回動片内側部８２とからなる回動片）を回動させることができないので、不用意に回動片３１が回動して蓋部１３０が胴部１０に対して持ち上げられてしまうことがない。この点は、保持部９０の構成を省略した場合でも、回動片内側部８２が破断線Ｌ１、Ｌ２を介して延長部本体８４に連設されているので、同様である。
【００９５】
また、保持部９０は、折れ線Ｃ４、Ｃ５を介して延長部８０に対して内側に折り曲げられることにより、正面部３０に対して略直角に支持され、この保持部９０の穴部９０ａに包装箱５に収納したボトルＢの首部を通すことにより、ボトルＢが保持されるので、ボトルＢが傾いて回動片内側部８２の作動の邪魔になったり、搬送時にボトルＢが回動片内側部８２に衝突して、破断線Ｌ１、Ｌ２、Ｌ３を破断させてしまうおそれがない。
【００９６】
また、回動片内側部８２を操作する際、回動片外側部３２の突状部３６に指を掛けて、回動片外側部３２と回動片外側部３２に重合された回動片内側部８２を外側に引き倒すことができるので、蓋部１３０の開放をより容易に行うことができる。
【００９７】
また、包装箱５に対して一旦開操作を行った場合でも、再び蓋部１３０を閉じて回動片３１を回動させることにより蓋部１３０の開動作を行なうことができるので、蓋部１３０の開閉を繰り返し行なうことができる。
【００９８】
なお、上記の説明においては、破断線Ｌ３が折れ線Ｃ４、Ｃ５とずれて形成されているとしたが、破断線Ｌ３が折れ線Ｃ４、Ｃ５の延長線上にあるようにしてもよい。その場合には、保持部９０を延長部８０に対して折り曲げた際には、破断線Ｌ３は破断しないので、回動片外側部３２（回動片３１としてもよい）を回動させる際に、破断線Ｌ１、Ｌ２とともに破断線Ｌ３を破断することになる。その場合には、内側板部８２を延長部本体８４に対して傾斜させた際に内側板部８２の下端が延長部８０よりも背面側に突出するので、内側板部８２を延長部本体８４に対して傾斜させた際に破断線Ｌ３が破断する。
【００９９】
また、上記の説明においては、突状部３６が設けられるとしたが、突状部３６の構成を省略してもよい。その場合には、切込みＫ３は省略され、折れ線Ｃ２と折れ線Ｃ３間がつながって、正面部３０と延長部８０間には１つの折れ線が設けられる。
【０１００】
また、上記実施例では、胴部１０は、正面部３０と、右側面部４０と、背面部５０と、左側面部６０とを有する四角筒状であるとしたが、正面部と、正面部に対して相対する背面部とを有する筒状の胴部であればよく、例えば、六角筒状の胴部や八角筒状の胴部であってもよい。
【実施例２】
【０１０１】
なお、上記の説明においては、胴部１０は胴部１０を構成する各部を順次連設することにより構成されるとしたが、底面部を１つの部材（シート状部材）により構成し、胴部を構成する各部は、底面部の各辺から連設された構成としてもよく、また、上記の説明では、回動片内側部８２の先端側の辺部を区画する破断線Ｌ３は、延長部８０と保持部９０の境界位置に設けられるものとして説明したが、回動片内側部の先端側の辺部を区画する破断線を延長部の内部に設けるようにしてもよい。
【０１０２】
すなわち、図１１に示すように、包装箱５’は、略方形状の底面部２００と、底面部２００の正面側の辺部から折れ線を介して連設された正面部３０と、正面部３０の上辺から折れ線（第２折れ線）Ｃ２を介して連設され、折れ線Ｃ２に沿って帯状に形成された縁板部７５と、縁板部７５の折れ線Ｃ２とは反対側の辺部から折れ線（第３折れ線）Ｃ６を介して連設された延長部８０と、底面部２００の右側面側の辺部から折れ線を介して連設された右側面部４０と、右側面部４０の底面部２００側とは反対側の辺部から折れ線を介して連設された上フラップ部１１０と、右側面部４０の正面側の辺部から折れ線を介して連設された延設フラップ部１４０と、右側面部４０の背面側の辺部から折れ線を介して連設された延設フラップ部１４２と、底面部２００の左側面側の辺部から折れ線を介して連設された左側面部６０と、左側面部６０の底面部２００側とは反対側の辺部から折れ線を介して連設された上フラップ部１２０と、左側面部６０の正面側の辺部から折れ線を介して連設された延設フラップ部１４４と、左側面部６０の背面側の辺部から折れ線を介して連設された延設フラップ部１４６と、底面部２００の背面側の辺部から折れ線を介して連設された背面部５０と、背面部５０の上辺から折れ線Ｃ８を介して連設された蓋板部１３２と、蓋板部１３２の先端の辺部（背面部５０と反対側の辺部）から折れ線Ｃ９を介して連設された折曲片１３４とを有している。蓋板部１３２と折曲部１３４とで蓋部１３０が構成される。また、正面部３０は、切込みＫ１、Ｋ２と折れ線Ｃ１により、回動片外側部３２と正面部本体３４とに区画される。正面部本体３４は、正面部３０において回動片外側部３２以外の部分である。また、延長部８０は、破断線Ｌ１、Ｌ２、Ｌ３により、回動片内側部８２と延長部本体８４とに区画される。延長部本体８４は、延長部８０において回動片内側部８２以外の部分である。
【０１０３】
底面部２００は、正面側の辺部と背面側の辺部と右側面側の辺部と左側面側の辺部とを有する１つの部材により構成され、胴部１０を構成する側面部（正面部３０、右側面部４０、背面部５０、左側面部６０）は底面部２００の各辺から折れ線を介して連設され、特に、正面部３０は底面部２００の正面側の辺部から折れ線を介して連設され、背面部５０は底面部２００の背面側の辺部から折れ線を介して連設されている。
【０１０４】
また、底面部２００と正面部３０の境界位置には、略コ字状の切込みＫ２０１、Ｋ２０２が間隔を介して設けられることにより、正面部３０は、下方に突出した突状部３０−１、３０−２を有しており、また、延長部８０の先端側の辺部には、突状部８０−１と突状部８０−２が間隔を介して設けられていて、包装箱５’の組立て状態では、突状部８０−１が切込みＫ２０１により形成される穴部に差し込まれ、突状部８０−２が切込みＫ２０２により形成される穴部に差し込まれるようになっている。このようにして、延長部８０は、縁板部７５を介して正面部３０に対して折り返した状態で正面部３０の背面側に固定される。なお、延長部８０の先端側の辺部には、突状部８０−１、８０−２の穴部への差込みを解除する際に、指をかけるための半円状の切欠部８０−３が設けられている。
【０１０５】
また、包装箱５’の組立て状態においては、正面部３０と右側面部４０と背面部５０と左側面部６０とが底面部２００に対して立設した状態となり、延設フラップ部１４０と延設フラップ部１４４は、正面部３０と延長部８０に挟まれた状態となり、延設フラップ部１４２と延設フラップ部１４６とは、延設フラップ１４２に設けられた切欠部１４２Ｋと延設フラップ部１４６に設けられた切欠部１４６Ｋとが係合することにより連結される。なお、延設フラップ部１４２、１４６は、背面部５０の内側（正面側）に配置される。
【０１０６】
ここで、包装箱５’において、正面部３０の上辺からは下方へ一対の切込み（第１切目線）Ｋ１、Ｋ２が設けられ、切込みＫ１の下端と切込みＫ２の下端間には、折れ線（第１折れ線）Ｃ１が左右方向（正面部３０の上辺に対して平行な方向）に形成されている。
【０１０７】
また、縁板部７５には、切込み（切目線）Ｋ４、Ｋ５が形成され、切込みＫ４は切込みＫ１から連続して形成され、切込みＫ５は切込みＫ２から連続して形成されている。切込みＫ４、Ｋ５は、包装箱５’の組立て状態では、前後方向に形成されている。
【０１０８】
また、延長部８０には、破断線（第２切目線）Ｌ１と破断線（第２切目線）Ｌ２とが形成され、さらに、破断線Ｌ１の下端と破断線Ｌ２の下端（包装箱５’の組立て状態における下側の端部）の間には、左右方向に破断線Ｌ３が形成されている。つまり、破断線Ｌ３は、破断線Ｌ１の下端及び破断線Ｌ２の下端から連設されている。
【０１０９】
また、包装箱５’において、回動片内側部８２の長さＮ１（回動片内側部８２の基端（折れ線Ｃ２側の端部）から先端までの長さ、つまり、折れ線Ｃ２から破断線Ｌ３までの長さ）は、回動片外側部３２の長さＮ２（回動片外側部の基端（折れ線Ｃ１側の端部）から先端（折れ線Ｃ２側の端部）までの長さ、つまり、折れ線Ｃ１から折れ線Ｃ２までの長さ）よりも長く形成されている。
【０１１０】
また、包装箱５’において、回動片内側部８２の長さＮ１から回動片外側部３２の長さＮ２を減じた長さは、長さＮ２よりも短く、これにより、回動片内側部８２と回動片外側部３２とが重なった状態では、回動片内側部８２の回動片外側部３２の基端から突出した長さ（長さＮ１から長さＮ２を減じた長さ）は、回動片外側部３２の長さＮ２よりも短く、梃（てこ）の原理により、少ない力で折曲片１３４を押し上げることができる。つまり、回動片外側部３２を回動させる力が小さくても、蓋部１３０を押し上げることができる。
【０１１１】
また、折曲片１３４の基端から先端までの長さ（最大長さ）N３は、回動片内側部８２の長さＮ１よりも短く形成されている。なお、折曲片１３４は、実施例１の場合と同様に、左側面側の先端が突出した形状となっている。
【０１１２】
また、蓋部１３０を閉じるには、上フラップ部１１０、１２０を内側に回動させ、さらに、蓋部１３０を折曲片１３４が蓋板部１３２に対して内側に折り曲げた状態で背面部５０に内側に回動させて、折曲片１３４を延長部８０の内側に差し込む。
【０１１３】
なお、蓋部１３０の閉状態では、回動片内側部８２の上端と折曲片１３４の上端とは高さ方向において略一致した状態となるが、折曲片１３４の基端から先端までの長さＮ３は、回動片内側部８２の長さＮ１よりも短く形成されているので、回動片内側部８２の下端は、折曲片１３４の下端よりも高さ方向において下側に位置している。つまり、回動片内側部８２の先端が折曲片１３４の下端よりも下側（下方としてもよい）に突出している。なお、回動片内側部８２が折曲片１３４を押し上げるので、少なくとも、回動片内側部８２の先端が、折曲片１３４において回動片内側部８２が対向する領域（図１１のハッチングに示す領域）の下端よりも下側に突出していればよい。
【０１１４】
また、閉状態の包装箱５’を開ける場合には、回動片外側部３２を折れ線Ｃ１を介して外側に回動させる。すると、回動片外側部３２が回動して鉛直方向に対して傾斜するに伴い、回動片内側部８２が鉛直方向に対して傾斜し、回動片内側部８２が傾斜するに伴い、折曲片１３４の下端が回動片内側部８２により背面側に押される。なお、回動片内側部８２が傾斜する際には、破断線Ｌ１、Ｌ２が破断するとともに破断線Ｌ３が破断して、回動片内側部８２が延長部本体８４から分離する。つまり、回動片内側部８２の下端は、回動片内側部８２を傾斜させた際に延長部８０よりも背面側に突出するので、破断線Ｌ３も破断する。なお、回動片外側部３２を回動させる操作において、破断線Ｌ１、Ｌ２、Ｌ３を破断できるので、破断線Ｌ１、Ｌ２、Ｌ３を破断するための別の操作が必要になることがない。
【０１１５】
その後、回動片外側部３２をさらに回動させることにより、回動片内側部８２により折曲片１３４の下端が押し上げられる。そして、回動片外側部３２をさらに回動させることにより、回動片内側部８２により折曲片１３４の下端が押し上げられ、蓋板部１３２と上フラップ部１１０、１２０との間に隙間が大きく形成される。蓋板部１３２と上フラップ部１１０、１２０との間に隙間が大きく形成されるので、蓋板部１３２の左右両側の辺部に指を掛けて上方にひっぱることにより蓋部１３０を開状態とすることができる。
【０１１６】
図１１に示す包装箱５’によっても、回動片外側部３２を折れ線Ｃ１を介して外側に回動させることにより、回動片内側部８２により折曲片１３４を押し上げることができるので、容易に蓋部１３０を開状態にすることができる。特に、回動片内側部８２と回動片外側部３２とが重なった状態では、回動片内側部８２の回動片外側部３２の基端から突出した長さ（長さＮ１から長さＮ２を減じた長さ）は、回動片外側部３２の長さＮ２よりも短く、梃（てこ）の原理により、少ない力で折曲片１３４を押し上げることができる。
【０１１７】
また、包装箱５’において、蓋部１３０を閉じる際には、延長部８０は正面部３０の背面側に固定されているので、折曲片１３４を延長部８０の内側に差し込めばよく、蓋部を閉じる操作を容易に行なうことができる。
【０１１８】
また、包装箱５’の閉状態においては、回動片外側部３２は正面部本体３４と同一平面をなし、また、延長部８０（特に、回動片内側部８２）は包装箱５’内に収納されることから、包装箱を開状態とするための部材（回動片外側部３２や回動片内側部８２）が外部へ突出して邪魔になることがない。
【０１１９】
また、包装箱５’の閉状態においては、回動片外側部３２は正面部本体３４と同一平面をなし、また、延長部８０（特に、回動片内側部８２）は包装箱５内に正面部３０に対して折り返された状態であるので、包装箱を開状態とするための部材（回動片外側部３２や回動片内側部８２）が包装箱５’の内部に突出するおそれを小さくでき、包装箱の収納空間が制約されるおそれを小さくできる。特に、突状部８０ａ、８０ｂを切込みＫ２０１、Ｋ２０２により形成される穴部に差し込むことにより、延長部８０が正面部３０の背面側に固定されるので、延長部８０が包装箱５’の内側に突出するおそれがない。
【０１２０】
また、包装箱５’においては、回動片内側部８２が破断線Ｌ１、Ｌ２、Ｌ３を介して延長部本体８４に連設されているので、破断線を破断しなければ回動片３１（回動片外側部３２と回動片内側部８２とからなる回動片）を回動させることができないので、不用意に回動片３１が回動して蓋部１３０が胴部１０に対して持ち上げられてしまうことがない。
【０１２１】
また、包装箱５’に対して一旦開操作を行った場合でも、再び蓋部１３０を閉じて回動片３１を回動させることにより蓋部１３０の開動作を行なうことができるので、蓋部１３０の開閉を繰り返し行なうことができる。
【０１２２】
なお、包装箱５’において、延長部８０から延長部本体８４を省略した構成としてもよく、その場合には、縁板部７５ａから回動片内側部８２が連設されるのみであり、縁板部７５においても、縁板部７５ｂの構成は省略される。
【０１２３】
なお、実施例１の包装箱５において、実施例２の包装箱５’のように、正面部３０と延長部８０間に縁板部を設ける構成としてもよい。この場合には、包装箱５’のように突状部３６の構成を省略してもよいし、突状部３６を設けてもよい。突状部３６を設ける場合には、突状部３６を構成する切込みＫ３の切込みＫ３ａを縁板部と延長部８０間の折れ線の延長線上に設け、切込みＫ３ｂと切込みＫ３ｃ間には、正面部３０と縁板部間の折れ線は設けられないことになる。なお、実施例１の包装箱５において、正面部３０と延長部８０間に縁板部を設ける場合に、延長部８０から延長部本体８４の構成を省略する構成の場合には、縁板部は、回動片内側部８２の縁板部側の辺部にのみ設けられることになる。
【０１２４】
また、上記実施例２では、底面部２００は、４辺を有する略方形状で、胴部１０を構成する正面部３０と右側面部４０と背面部５０と左側面部６０は底面部２００の各辺から連設されているとしたが、底面部２００における辺部の数が４つ以外で相対する辺部（正面側の辺部と背面側の辺部）を有する構成であり、胴部を構成する各部が底面部の各辺から連設されている構成としてもよい。例えば、底面部２００は、六角形や八角形の場合が挙げられる。
【０１２５】
また、上記の各実施例の説明において、切込みＫ１、Ｋ２は切込みとしての切目線であるとしたが、切断予定線としての切目線としてもよい。その場合には、回動片外側部３２（回動片３１としてもよい）を回動させる際に、切断予定線が破断することになる。
【０１２６】
また、上記の各実施例の説明において、破断線Ｌ１、Ｌ２、Ｌ３は、破断線（切断予定線）としての切目線であるとしたが、切込み（予め連続して切断されている切込み）としての切目線であってもよい。つまり、破断線Ｌ１、Ｌ２、Ｌ３の代わりに切込みにより形成した場合には、破断する必要はなくなる。
【０１２７】
また、保持部９０の穴部９０ａが設けられているとしたが、穴部の代わりに切欠部としてもよい。その場合には、該切欠部は、ボトルＢの首部を保持できる大きさ・形状に形成され、例えば、図１〜図５の穴部９０ａと保持部９０の外側の辺部とを連通する溝部（例えば、平行な２つの辺部を有する溝部）が設けられる場合が考えられ、この溝部の幅は、穴部９０ａの直径よりも小さく形成される。切欠部をこのように構成することにより、切欠部であっても、ボトルの首部を保持できる。
【符号の説明】
【０１２８】
５、５’  包装箱
１０  胴部
２２  周壁
３０  正面部
３１  回動片
３２  回動片外側部
３４  正面部本体
３６  突状部
３８  本体部
４０  右側面部
５０  背面部
６０  左側面部
７０  糊代部
８０  延長部
８２  回動片内側部
８４  延長部本体
９０  保持部
９０ａ  穴部
１００  上面部
１１０、１２０  上フラップ部
１３０  蓋部
１３２  蓋板部
１３４  折曲片
１４０、１４２、１４４、１４６  延設フラップ部
２００  底面部
２１０、２２０、２３０、２４０  片部
Ｋ１、Ｋ２、Ｋ３、Ｋ３ａ、Ｋ３ｂ、Ｋ３ｃ、Ｋ４、Ｋ５  切込み
Ｃ１、Ｃ２、Ｃ３、Ｃ４、Ｃ５  折れ線
Ｌ１、Ｌ２、Ｌ３  破断線
Ｂ  ボトル
【図１】
2017109790.tif 000003
【図２】
2017109790.tif 000004
【図３】
2017109790.tif 000005
【図４】
2017109790.tif 000006
【図５】
2017109790.tif 000007
【図６】
2017109790.tif 000008
【図７】
2017109790.tif 000009
【図８】
2017109790.tif 000010
【図９】
2017109790.tif 000011
【図１０】
2017109790.tif 000012
【図１１】
2017109790.tif 000013
【図１２】
2017109790.tif 000014
【図１３】
2017109790.tif 000015